(57)【特許請求の範囲】
【請求項１】
正面側で映像を表示する矩形状の表示部と、該表示部の正面側に配置される枠状の前キャビネットと、前記表示部の背面側に配置される後キャビネットと、基板と、基板に実装された回路とを備える表示装置において、
前記後キャビネット、及び前記基板は、それぞれ第１ネジ挿通孔、及び第２ネジ挿通孔を有し、
第３ネジ挿通孔が設けられ、該第３ネジ挿通孔が前記第２ネジ挿通孔に連なる状態で前記基板の一平面の縁部の一部に当接する第１当接板部と、
該第１当接板部に直角に連設され、前記基板の側面に当接する側面当接部と、
該側面当接部に直角に連設され、前記第３ネジ挿通孔に対応する位置に雌ネジが設けられ、前記基板の他平面の縁部の一部に当接する第２当接板部と
を有する取付部材を備え、
前記第２ネジ挿通孔に前記第３ネジ挿通孔が連なるように前記取付部材が前記基板に固定された状態で、前記後キャビネットが、前記第１ネジ挿通孔が前記第３ネジ挿通孔に連なる状態で前記第１当接板部に当接し、ネジが、前記第１ネジ挿通孔、前記第３ネジ挿通孔、及び前記第２ネジ挿通孔を挿通して、前記雌ネジに螺合されていることを特徴とする表示装置。
【請求項２】
前記取付部材は、前記第２当接板部に延設され、前記表示部の背面に接続される導電部を備えることを特徴とする請求項１に記載の表示装置。
【請求項３】
前記第１当接板部の当接面に突起部が設けられ、
前記基板に、前記突起部を嵌合する嵌合部が設けられていることを特徴とする請求項１又は２に記載の表示装置。
【請求項４】
前記前キャビネットは、前記基板を支持する支持部を備えることを特徴とする請求項１から３までのいずれか１項に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、基板に固定され、基板を他部材に取り付けるための取付部材を備える表示装置、及び該表示装置を備えるテレビジョン受信機に関する。
【背景技術】
【０００２】
液晶テレビジョン受信機等の薄型のテレビジョン受信機（以下、ＴＶ受信機という）は、一般に表示モジュール（液晶ＴＶ受信機の場合は液晶表示モジュール）とそれを駆動する基板とを有する。表示モジュールは、前後に縦姿勢で配置された前キャビネット及び後キャビネットに縦姿勢で収容されている。表示モジュールが液晶表示モジュールである場合、例えば表示パネルと、光学シート，拡散板，反射シート，及びシャーシを有するバックライトユニットとを備える。ＬＥＤ等の光源はシャーシに設けてある。
【０００３】
従来、表示モジュールの背面に基板固定用のビス受け等を設けてあり、基板は表示モジュールの背面にビス留めすることにより固定されていた。しかし、表示モジュールにビス受けを設けた場合、その表示モジュールにはそのビス留め位置に適合する基板しか取り付けることができないため、汎用性が低いという問題があった。
【０００４】
そこで、近年は、表示モジュールにビス受けを設けないことが一般的になっている。この場合、板金ホルダ若しくはシャーシトレイと呼ばれるトレイ又は同等品に基板を設け、前記トレイをシャーシに取り付けることで、基板を表示モジュールに固定している。
しかし、このシャーシトレイ等は大型サイズになる程、高額になり、取付作業も煩雑になるという問題があった。
【０００５】
シャーシトレイ等を用いずに、後キャビネットに基板を固定することも考えられている。この場合、前キャビネット側の回路と該回路を制御する基板とを電気的に接続するためのハーネスが長くなったり、短い場合は組み立てが困難になったりし、接続後に線整形を前キャビネットと後キャビネットとを締めながら行うので、線整形及び組み立てが困難であるという問題があった。
【０００６】
後キャビネット側に雌ネジを有する取付部材としてのラグを半田付けにより固定しておき、前キャビネット側の回路と基板とを電気的に接続し、線整形した後、後キャビネットをラグにネジ留めして基板を固定する構造を有する表示装置も存在するが、基板とラグと後キャビネットとの固定の強度は、ラグの半田付けの強度に依存する。後キャビネット越しのネジとラグとはネジによる固定のため、強度があるが、ラグと基板との固定は半田付けに依存するので、半田が十分に付いていない場合、振動及び衝撃があった場合等に、半田付け部分に力が作用するという問題がある。力が作用した結果、半田付け部分が外れて基板とラグとが外れてしまった場合、後キャビネットと基板との固定が外れることとなる。
【０００７】
また、雌ネジを有するラグを基板の表示モジュールの背面側に実装した場合、ラグを後キャビネット側に実装した場合と同様の問題が生じる虞があるが、半田の接合が外れた場合でも、ネジが基板を貫通した後にラグがネジ留めされているため、後キャビネットと基板との固定は維持することが可能である。半田付けで固定する場合、このラグの素材は金属にする必要があるが、他の部品を固定するためにＤＩＰによる半田付け工程を有する場合、雌ネジを切ってある部分が半田で埋まってしまうので、このラグに耐熱テープによりネジが挿通する孔を塞いでおく必要がある。このテープの貼り付けは部品点数及び製造工程数の増加としてコストアップの要因となる。
そして、この製造コストの削減のために部品を基板の片側のみに実装することにした場合、通常はユーザ用の端子が後キャビネット側にあるため、表示モジュールの背面側に部品を実装することができない。よって特別な対応策が必要となり、やはりコストアップの要因となる。
【０００８】
表示モジュールの回路部材と基板との電気的接続、及び線整形後に基板を後キャビネットに取り付けることが可能であり、取付部材の基板への固定に半田付けを採用しないものとして、以下の特許文献１及び２の表示装置がある。
特許文献１には、表示パネルと、板金ホルダと、表示パネルの背面を覆うバックカバーとを備え、バックカバーが背面側に開口する有底の凹部を有し、該凹部に電源基板及びＨＤＤを収容した後、該凹部の開口を交換用蓋により閉塞するように構成された表示装置の発明が開示されている。特許文献１の発明はこの構成により、板金ホルダの寸法を小さくすることを図っている。
【０００９】
また、特許文献２には、筐体が前キャビネットと後キャビネットとを互いに接合してなり、前キャビネットに画像表示パネルが設置され、後キャビネットに制御基板が、固定具（雄ネジ部を有する第１部品及び雌ネジ部を有する第２部品）によって固定された表示装置の発明が開示されている。第２部品は舌片を有し、舌片は表示パネルの背面に当接している。
【先行技術文献】
【特許文献】
【００１０】
【特許文献１】特開２０１１−２４９９７５号公報
【特許文献２】特開２０１２−１４１００号公報
【発明の概要】
【発明が解決しようとする課題】
【００１１】
特許文献１の表示装置の場合、バックカバーは複雑な形状を有しており、凹部を閉塞する交換蓋を部品として要し、製造工程が煩雑になるという問題があった。
【００１２】
特許文献２の表示装置の場合、後キャビネットを前キャビネットに重ねた後、ビスの挿入時に加わる力が、固定具の外れる方向に作用する。そのため、キャビネットに寸法誤差による微妙な位置ずれがある場合等、固定具のビス孔と後キャビネットのビス挿通孔との位置が合っていない場合にビスを挿入したとき、固定具が外れることとなる。この方法で数か所固定する場合、ひとつでも固定具が外れたとき、組み立て直す必要があり、組立時間を大幅にロスする結果となる。
また、基板に設けた嵌合孔に第２部品が具備する突起部を入れるのみで、基板に第２部品を固定しているため、固定が不安定であるという問題があった。すなわち、基板の修理等により固定具の抜き差しを行い、基板側の嵌合孔が大きくなってしまった場合、固定を維持するのが困難な状況となる。
【００１３】
本発明は斯かる事情に鑑みてなされたものであり、半田を用いることなく、簡単な構造で基板に固定され、簡単な構造の他部材に、基板に対する固定を良好に維持した状態で、基板を容易に取り付けることができる取付部材を備える表示装置、及び該表示装置を備えるテレビジョン受信機を提供することを目的とする。
【課題を解決するための手段】
【００１５】
本発明に係る表示装置は、正面側で映像を表示する矩形状の表示部と、該表示部の正面側に配置される枠状の前キャビネットと、前記表示部の背面側に配置される後キャビネットと、基板と、基板に実装された回路とを備える表示装置において、前記後キャビネット、及び前記基板は、それぞれ第１ネジ挿通孔、及び第２ネジ挿通孔を有し、第３ネジ挿通孔が設けられ、該第３ネジ挿通孔が前記第２ネジ挿通孔に連なる状態で前記基板の一平面の縁部の一部に当接する第１当接板部と、該第１当接板部に直角に連設され、前記基板の側面に当接する側面当接部と、該側面当接部に直角に連設され、前記第３ネジ挿通孔に対応する位置に雌ネジが設けられ、前記基板の他平面の縁部の一部に当接する第２当接板部とを有する取付部材を備え、前記第２ネジ挿通孔に前記第３ネジ挿通孔が連なるように前記取付部材が前記基板に固定された状態で、前記後キャビネットが、前記第１ネジ挿通孔が前記第３ネジ挿通孔に連なる状態で前記第１当接板部に当接し、ネジが、前記第１ネジ挿通孔、前記第３ネジ挿通孔、及び前記第２ネジ挿通孔を挿通して、前記雌ネジに螺合されていることを特徴とする。
【００１６】
本発明に係る表示装置は、前記第１当接板部の当接面に突起部が設けられ、前記基板に、前記突起部を嵌合する嵌合部が設けられていることを特徴とする。
【００１７】
本発明に係る表示装置は、前記前キャビネットは、前記基板を支持する支持部を備えることを特徴とする。
【００１８】
本発明に係る表示装置は、前記取付部材は、前記第２当接板部に延設され、前記表示部の背面に接続される導電部を備えることを特徴とする。
【００１９】
本発明に係るテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【００２０】
本発明においては、コの字状をなす取付部材を基板の縁部を挟むように基板に嵌め込むことで、容易に取付部材を基板に取り付けることができる。取付部材を基板に嵌め込んだ後、第１当接板部に他部材を当接し、他部材側からネジを他部材、第１当接板部、及び基板に挿通して、雌ネジに螺合する。
特許文献２の表示装置においては、ビスの挿入時に加わる力が、固定具の外れる方向に作用するが、本発明の場合、取付部材がコの字状をなし、基板を挟むように取り付けられるので、ネジの挿入時に取付部材が外れることがない。
【００２１】
本発明の取付部材により基板を表示装置の後キャビネットに取り付ける場合、前キャビネット側の回路と基板との接続及び線整形を行った後、後キャビネットを前キャビネットに接合して基板を後キャビネットに固定するので、線整形及び組み立てが容易である。
そして、本発明においては、特許文献１の表示装置の板金ホルダを必要とせず、後キャビネットは基板を固定するために複雑な形状にする必要がなく、交換蓋も不要であり、部品点数が少なく、組み立ての作業性が良好であり、安価に製造することができる。
さらに、半田付けにより取付部材を固定する場合の問題が生じず、固定強度は安定しており、基板の両面に部品を実装することができる。
第１当接板部に突起部を設けた場合においては、取付部材の基板への取付時に、容易に位置決めすることができる。コの字状に挟み込む構造と、位置決めの突起部とにより取付部材を基板に固定する場合、取付部材の抜き差しを繰り返した場合でも、特許文献２の発明のように固定強度が低下するのがより抑制される。
また、取付部材に導電部を備える場合、接地の補強を図ることができる。
【発明の効果】
【００２２】
本発明によれば、半田を用いることなく、簡単な構造の前記取付部材を基板に固定し、基板に対する固定を良好に維持した状態で、該基板を後キャビネットに容易に取り付けることができる。
【図面の簡単な説明】
【００２３】
【図１】本発明の実施の形態に係るＴＶ受信機の前側の外観斜視図である。
【図２】本発明の実施の形態に係る取付部材を示す断面図である。
【図３】本発明の実施の形態に係る取付部材を基板の縁部に嵌め込んだ状態を示す断面図である。
【図４】図４Ａは本発明の実施の形態に係る基板の取付部材の固定部分を示す平面図、図４Ｂは取付部材の側面図である。
【図５】他の取付部材を示す断面図である。
【図６】本発明の実施の形態に係る基板に３個の取付部材を挟み込んだ状態を示す平面図である。
【図７】本発明の実施の形態に係る基板を後キャビネットに固定した場合に、ＴＶ受信機を長手方向に平行な面で切断した状態を示す断面図である。
【図８】本発明の実施の形態に係る基板を後キャビネットに固定した場合に、ＴＶ受信機を短手方向に平行な面で切断した状態を示す断面図である。
【発明を実施するための形態】
【００２４】
以下、本発明をその実施の形態を示す図面に基づいて具体的に説明する。
図１は、本発明の実施の形態に係るＴＶ受信機１の前側の外観斜視図である。
ＴＶ受信機１は、映像を表示する横長の表示モジュール２と、アンテナ（不図示）から放送波を受信するチューナ１６と、符号化された放送波を復号するデコーダ１７とを備える。ＴＶ受信機１は、チューナ１６にて受信した放送波をデコーダ１７で復号し、復号した情報に基づいて表示モジュール２に映像を表示する。ＴＶ受信機１の下部には、ＴＶ受信機１を支持するスタンド７を設けてある。
【００２５】
表示モジュール２は、前側に表示面を有する横長の矩形状の表示パネル２１と、光学シート，拡散板，反射シート，及びシャーシを有するバックライトユニット（不図示）とを備える。ＬＥＤ等のバックライトはシャーシに設けてある。
表示モジュール２は、前後に縦姿勢で配置された前キャビネット５及び後キャビネット６に縦姿勢に収容されている。前キャビネット５は表示モジュール２の周縁部を覆う矩形状の枠体であり、中央に矩形の開口５ａを有する。前キャビネット５は例えばプラスチック材からなる。後キャビネット６は、前側が開放された矩形のトレイ状をなし、例えばプラスチック材からなる。尚、前キャビネット５及び後キャビネット６は他の材料から構成してもよい。
【００２６】
前キャビネット５及び後キャビネット６の上下及び左右寸法は略同一であり、互いの周縁部分が対向する。表示パネル２１の上下及び左右寸法は、前キャビネット５の開口５ａよりも若干大きく、表示パネル２１の周縁部分は前キャビネット５の内縁部分と対向している。
【００２７】
上述のチューナ１６及びデコーダ１７等の部品は後述する基板１０に実装されている。本実施の形態においては、基板１０は、取付部材１１を介し後キャビネット６に取り付けられている。
【００２８】
図２は取付部材１１を示す断面図、図３は取付部材１１を基板１０の縁部に嵌め込んだ状態を示す断面図、図４Ａは基板１０の取付部材１１の固定部分を示す平面図、図４Ｂは取付部材１１の側面図である。
取付部材１１は例えばステンレス製であり、角平板状をなす第１当接板部１１１と、第１当接板部１１１に直角に連設された側面当接部１１２と、角平板状をなし、側面当接部１１２に直角に連設された第２当接板部１１３とを備えている。
【００２９】
第１当接板部１１１の中央部にはネジ挿通孔１１１ａが設けられている。第１当接板部１１１の側面当接部１１２と反対側の辺には、端縁部に向かうに従って厚みが漸次的に薄くなるようにテーパ面を内側に有する案内部１１１ｂが設けられている。そして、前記端縁部から所定間隔を隔てた部分で、側面当接部１１２に平行な方向の両端部の外面には、プレス加工等によって凹み１１６，１１６が形成され、内面には突起部１１５，１１５が形成されている。なお、突起部１１５を設ける場合に限定されないが、後述するように、取付部材１１を基板１０に取り付ける場合に容易に位置決めできるので、設ける方が好ましい。
【００３０】
側面当接部１１２の中央部には、平面視で、ネジ挿通孔１１１ａ側に凹むように開口部１１２ａが設けられている。なお、側面当接部１１２に開口部１１２ａを設ける場合には限定されない。
第２当接板部１１３の中央部には、外面にバーリング加工等により、高さの低い円筒状のネジ留め部１１４を設けた上で、第２当接板部１１３の内面側からネジ孔加工を施すことにより雌ネジ１１３ａが設けられている。第２当接板部１１３の側面当接部１１２と反対側の辺には、端縁部に向かうに従って厚みが漸次的に薄くなるように、テーパ面を内側に有する案内部１１３ｂが設けられている。
【００３１】
基板１０の取付部材１１の固定部分の中央部にはネジ挿通孔１０ａが設けられ、ネジ挿通孔１０ａの中央部側には突起部１１５，１１５を嵌合する嵌合部１０ｂ，１０ｂが設けられている（図２、図４参照）。嵌合部１０ｂは、基板１０を貫通する孔であってもよい。
基板１０の固定部分の端縁の両端部には、凹部１０ｃ，１０ｃが設けられている。なお、凹部１０ｃを設ける場合には限定されない。
【００３２】
以上のように構成された取付部材１１は、基板１０の端縁の固定部分に、案内部１１１ｂ，１１３ｂにより案内しつつ、突起部１１５，１１５が嵌合部１０ｂ，１０ｂに嵌合し、側面当接部１１２の両端部が凹部１０ｃ，１０ｃに嵌合し、開口部１１２ａに基板１０の凹部１０ｃ，１０ｃ間の部分が嵌るようにスライドされて、基板１０に嵌め込まれる。
第１当接板部１１１は基板１０の平面の端縁の固定部分に当接し、側面当接部１１２は前記所定部分に連なる基板１０の側面に当接し、第２当接板部１１３は前記側面に連なる基板１０の他平面の端縁の部分に当接することになる。
この状態で、取付部材１１の第１当接板部１１１を後キャビネット６の正面側の面の所定位置に当接し、該所定位置に設けたネジ挿通孔、第１当接板部１１１のネジ挿通孔１１１ａ、及び基板１０のネジ挿通孔１０ａにネジ１２を挿通し、ネジ留め部１１４にねじ込むことにより、基板１０が後キャビネット６に取り付けられる（図３参照。但し、後キャビネット６は不図示）。
【００３３】
図５は、他の取付部材１３を示す断面図である。
取付部材１３は例えばステンレス製であり、角平板状をなす第１当接板部１３１と、第１当接板部１３１に直角に連設された側面当接部１３２と、角平板状をなし、側面当接部１３２に直角に連設された第２当接板部１３３と、第２当接板部１３３に直角に連設され、側面視がＬ字状をなす表示モジュール当接部１３７とを備えている。
第１当接板部１３１の中央部にはネジ挿通孔１３１ａが設けられている。第１当接板部１３１の側面当接部１３２と反対側の辺には、端縁部に向かうに従って厚みが漸次的に薄くなるテーパ面を内側に有する案内部１３１ｂが設けられている。そして、端縁部から所定間隔を隔てた部分の外面にはプレス加工等によって、凹み１３６，１３６が形成され（図６参照）、内面には突起部１３５，１３５が形成されている。
【００３４】
側面当接部１３２の中央部には、平面視で、ネジ挿通孔１３１ａ側に凹むように開口部（不図示）が設けられている。
第２当接板部１３３の中央部には、外面にバーリング加工等により、高さの低い円筒状のネジ留め部１３４を設けた上で、第２当接板部１３３の内面側からネジ孔加工を施すことにより雌ネジ１３３ａが設けられている。第２当接板部１３３の側面当接部１３２と反対側の辺には、端縁部に向かうに従って厚みが漸次的に薄くなるテーパ面を内側に有する案内部１３３ｂが設けられている。
表示モジュール当接部１３７は案内部１３３ｂに沿うように設けられ、Ｌ字の短辺は中央部が外側に湾曲し、端部が側面当接部１３２側に向かうように形成されている。
【００３５】
以上のように構成された取付部材１３は、基板１０の端縁の固定部分に、案内部１３１ｂ，１３３ｂにより案内しつつ、突起部１３５，１３５が基板１０の嵌合部１０ａに嵌合するようにスライドされて基板１０に嵌め込まれる。そして、表示モジュール当接部１３７は表示モジュール２（シャーシ）の背面に当接させる。
【００３６】
図６は基板１０に３個の取付部材１３を挟み込んだ状態を示す平面図、図７は基板１０を後キャビネット６に固定した場合に、ＴＶ受信機１を長手方向に平行な面で切断した状態を示す断面図、図８は基板１０を後キャビネット６に固定した場合に、ＴＶ受信機１を短手方向に平行な面で切断した状態を示す断面図である。ここで、基板１０はメイン基板として説明する。また、図８において、ピンジャックベース１４及びチューナ１６は仮想線で表している。
【００３７】
前キャビネット５は、内側に表示モジュール２を保持するフック５０を備える。フック５０は、ＴＶ受信機１の背面側部分で光学シート，拡散板，反射シート，シャーシを一体的に保持している表示モジュール２自体を支持する。
前キャビネット５の周縁側部分には、円柱状の支持部５１が設けられている。支持部５１の端面には雌ネジが設けられている。
後キャビネット６は、正面側に突出した円錐台状のネジ挿通部６１を３個、備えている。ネジ挿通部６１の端面にはネジ挿通孔６１ａが設けられている。
【００３８】
基板１０の中央部下側には、アンテナ入力端子１６１を有するチューナ１６が実装されている。チューナ１６の右側中央寄りには、複数のピンジャック１５を有するピンジャックベース１４が半田付けされている。
基板１０の右上の角部には、ネジ挿通孔１０ｄが設けられている。
基板１０の取付部材１３の第２当接板部１３３が当接する部分には、レジスト処理を施さないようにしている。
基板１０の上辺の左端部、及び右端部の少し中央寄り、並びに下辺の左端部より少し中央寄りには、上述したようにして、前記取付部材１３が嵌め込まれている。
表示モジュール２のシャーシはアルミニウム等の金属製であるとする。
【００３９】
ＴＶ受信機１を組み立てる場合、基板１０は、ネジ１８を基板１０のネジ挿通孔１０ｄに挿通し、支持部５１の雌ネジにねじ込むことにより仮止めしておく。支持部５１は、基板１０を水平に保持するスペーサとしても機能する。ネジ１８は、基板１０を仮固定するために取り付けるので、ネジ１８の代替として基板１０のネジ挿通孔１０ｄを通過するような突起を支持部５１に設けてもよい。
そして、表示モジュール当接部１３７を表示モジュール２のシャーシに当接する。基板１０の取付部材１３の第２当接板部１３３が当接する部分にレジスト処理を施さないようにしているので、取付部材１３と基板１０との導通が確保され、表示モジュール当接部１３７をシャーシに当接することで、表示モジュール２と基板１０との導通も確保される。
【００４０】
前キャビネット５側には、表示パネル２１、バックライト等、メイン基板としての基板１０からの制御が必要である回路部材が多数あり、後キャビネット６を前キャビネット５に接合する前に、前記回路部材と基板１０とを電気的に接続し、線整形を行う。
【００４１】
全ての接続及び線整形が完了した後、後キャビネット６を前キャビネット５に接合する。そして、ネジ１２を、後キャビネット６のネジ挿通孔６１ａ、取付部材１３のネジ挿通孔１３１ａ、及び基板１０のネジ挿通孔１０ａに挿通し、雌ネジ１３３ａにねじ込むことにより、基板１０を後キャビネット６に固定する。突起部１３５により取付部材１３は基板１０上に正確に位置決めされて固定されているので、取付部材１３が視認されない状態でも、後キャビネット６を基板１０に螺合することができる。
【００４２】
本実施の形態においては、取付部材１１，１３はコの字状をなし、位置決め用の突起部１１５，１３５を嵌合部１０ｂに嵌合することで位置が固定され、容易に基板１０に嵌め込まれ得る。そして、雌ネジ１１３ａ，１３３ａは後キャビネット６の配置側と反対の側になるように設けられており、ネジ１２を雌ネジ１１３ａ，１３３ａにねじ込んだときに、取付部材１１，１３が基板１０とともに、後キャビネット６側に移動して固定される。特許文献２の表示装置と異なり、基板１０に挟み込む構造となっているため、ネジ１２の挿入時に取付部材１１，１３にかかる力の方向に、取付部材１１，１３が外れることがなく、組み立てをやり直すことによる作業及び時間のロスが発生しない。また、本実施の形態においては、挟み込む構造と位置決めの突起部１１５，１３５とにより固定するため、取付部材１１，１３の抜き差しを繰り返しても、固定の維持に影響がない。
【００４３】
本実施の形態においては、接続及び線整形を行った後、後キャビネット６を前キャビネット５に接合して基板１０を後キャビネット６に固定するので、線整形及び組み立てを容易に行うことができる。前キャビネット５に支持部５１を有する場合、基板１０と表示モジュール２との間のスペースが維持されるので、線整形及び組み立てがより容易に、確実になる。
【００４４】
そして、本実施の形態においては、特許文献１の表示装置の板金ホルダを必要とせず、後キャビネットは基板を固定するために複雑な形状にする必要がなく、交換蓋も不要であり、部品点数が少なく、組み立ての作業性が良好であり、安価に製造することができる。
さらに、半田付けにより取付部材を固定する場合の問題が生じず、固定強度は安定しており、基板１０の両面に部品を実装することができる。
【００４５】
また、表示モジュール当接部１３７を有する取付部材１３を用いることにより、接地を強化することができる。半田付けによるラグの場合も同様の構造を持たせることは可能であるが、半田付け後、セットへの組み込みまでの間の基板の保管時に突出部が存在することになり、導通部分が曲がった場合、導通の確保が困難になるため、取り扱いに注意する必要がある。本実施の形態ではセットへの組み込みの直前にこの取付部材１３を取り付けることが可能であるため、上述のような特別な取り扱いを行う必要がない。
【００４６】
本実施の形態においては、基板１０としてメイン基板を適用した場合につき説明しているがこれに限定されるものではなく、本発明はパワー基板等の基板にも適用することが可能である。この場合、基板の四隅に、取付部材１１，１３を設けることも可能である。
【００４７】
以上開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００４８】
１  ＴＶ受信機
２  表示モジュール（表示部）
２１  表示パネル
５  前キャビネット
５０  フック
５１  支持部
６  後キャビネット
１０  基板
１０ａ  ネジ挿通孔
１０ｂ  嵌合部
１０ｃ  凹部
１０ｄ  ネジ挿通孔
１１、１３  取付部材
１１１、１３１  第１当接板部
１１１ａ、１３１ａ  ネジ挿通孔
１１１ｂ、１１３ｂ、１３１ｂ、１３３ｂ  案内部
１１２、１３２  側面当接部
１１２ａ  開口部
１１３、１３３  第２当接板部
１１３ａ  １３３ａ  雌ネジ
１１４、１３４  ネジ留め部
１１５、１３５  突起部
１３７  表示モジュール当接部（導電部）
【図１】
0005513568.tif 000002
【図２】
0005513568.tif 000003
【図３】
0005513568.tif 000004
【図４】
0005513568.tif 000005
【図５】
0005513568.tif 000006
【図６】
0005513568.tif 000007
【図７】
0005513568.tif 000008
【図８】
0005513568.tif 000009